(57)【要約】      （修正有）【課題】ステンドグラスからなる案内表示を取り替え可能にした差し替え式ウェルカムボードを提供する。【解決手段】複数の、周囲を枠部２２で囲んだガラスピース２１同士の、枠部２２同士を連結することでガラスピース２１同士をつなぐことで形成されたステンドグラス２上に対向して支持部材４が取り付けられ、対向した支持部材４の間に差し替え式ウェルカムボード１を入れて移動することで、ステンドグラス２上に差し替え式ウェルカムボード１を配置し、差し替え式ウェルカムボード１を支持部材４の間で移動して対向した支持部材４から差し替え式ウェルカムボード１を抜き取り、再び対向した支持部材４の間に別の差し替え式ウェルカムボード１を入れ移動することで、ステンドグラス２上に別の差し替え式ウェルカムボード１を配置する。【選択図】図１
0003181990.tif 000002
【実用新案登録請求の範囲】
【請求項１】
板状の部材からなり、少なくとも表面側には、催し物の案内の記載があり、
複数の、周囲を枠部で囲んだガラスピース同士の、前記枠部同士を連結することで前記ガラスピース同士をつなぐことで形成されたステンドグラスより小さい差し替え式ウェルカムボードにおいて、
前記ステンドグラスの外周に前記ステンドグラスを囲み、前記ステンドグラスの厚さより厚い額部が取り付けられ、
前記ステンドグラスを形成する、前記ガラスピース同士の枠部同士の上である、前記ステンドグラスの面部側に複数の支持部材が固定され、
該支持部材は、一方の端部側が前記ステンドグラスの面部側に固定され、前記一方の端部側から前記ステンドグラスの面部に対して垂直方向に伸びる支持部と、
他方の端部側から前記支持部に対して垂直方向に伸びる保持部と、を備え、
複数の前記支持部材の内、少なくとも一対の対向する前記支持部材同士が前記ステンドグラスの面部側に固定され、前記一対の対向する前記支持部材の支持部同士の間には、前記差し替え式ウェルカムボードの差し替えの移動が行われる隙間が形成されるとともに、前記一対の対向する前記支持部材同士と前記額部との間に前記差し替え式ウェルカムボードの全面が前記ステンドグラスの面部に配置できる領域が形成され、
前記差し替え式ウェルカムボードの全面を前記ステンドグラスの面部の、前記領域に配置し、前記差し替え式ウェルカムボードを前記ステンドグラスに沿って移動し、前記一対の対向する前記支持部材同士の支持部同士の間の前記隙間に前記差し替え式ウェルカムボードを入れて移動させ、前記差し替え式ウェルカムボードを前記一対の対向する前記支持部材に沿わせることで、
前記差し替え式ウェルカムボードの縁部側が前記支持部材の支持部で支持され、前記差し替え式ウェルカムボードの面部側が前記支持部材の保持部で支持されて、前記差し替え式ウェルカムボードが前記ステンドグラス上に配置され、
前記一対の対向する前記支持部材同士の支持部同士の間の前記隙間で前記差し替え式ウェルカムボードを差し替えるために前記差し替え式ウェルカムボードを移動し、前記差し替え式ウェルカムボードを前記ステンドグラスの面部の、前記領域に移動することで前記ステンドグラスから前記差し替え式ウェルカムボードを抜き取ることで取り外し、
別の差し替え式ウェルカムボードの全面を前記ステンドグラスの面部の、前記領域に配置し、前記別の差し替え式ウェルカムボードを前記ステンドグラスに沿って移動し、前記一対の対向する前記支持部材同士の支持部同士の間の前記隙間に前記別の差し替え式ウェルカムボードを入れて移動させ、前記別の差し替え式ウェルカムボードを前記一対の対向する前記支持部材に沿わせることで、
前記別の差し替え式ウェルカムボードの縁部側が前記支持部材の支持部で支持され、前記別の差し替え式ウェルカムボードの面部側が前記支持部材の保持部で支持されて、前記差し替え式ウェルカムボードが前記ステンドグラス上に配置され、
前記ステンドグラス上に前記別の差し替え式ウェルカムボードを配置することで、前記差し替え式ウェルカムボードを前記別の差し替え式ウェルカムボードに差し替えられることを特徴とする差し替え式ウェルカムボード。
【請求項２】
前記ガラスピース同士の枠部同士の上である、前記ステンドグラスの面部側に固定された複数の前記支持部材の内、前記ステンドグラス上に配置される、前記差し替え式ウェルカムボードの底部側に対応する前記ステンドグラスの、前記ステンドグラスの水平方向に沿う、前記ガラスピース同士の枠部同士の上には少なくとも二つの前記支持部材が固定され、二つの前記支持部材の保持部は、前記ステンドグラス上に配置される、前記差し替え式ウェルカムボード側に向き、
少なくとも前記一対の対向する前記支持部材は、前記ステンドグラスの水平方向に対して垂直方向の、前記ステンドグラス上に配置される、前記差し替え式ウェルカムボードの側部側に対応する前記ステンドグラスの、前記ガラスピース同士の枠部同士の上に固定され、
少なくとも前記一対の対向する前記支持部材の保持部は、前記ステンドグラス上に配置される、前記差し替え式ウェルカムボード側に向き、少なくとも前記一対の対向する前記支持部材同士の保持部同士が向かい合い、端面同士が対向することを特徴とする請求項１に記載の差し替え式ウェルカムボード。
【請求項３】
前記ガラスピース同士の枠部同士の上である、前記ステンドグラスの面部側に固定された複数の前記支持部材の内、前記ステンドグラスの水平方向に沿う、前記ステンドグラス上に配置される前記差し替え式ウェルカムボードの、底部側及び上部側に対応する前記ステンドグラスの、前記ガラスピース同士の枠部同士の上には、前記差し替え式ウェルカムボードの、底部側と上部側とで対向して少なくとも二対の前記支持部材が固定され、固定された前記支持部材の保持部は、前記ステンドグラス上に配置される、前記差し替え式ウェルカムボード側に向き、各対向する前記支持部材同士の保持部同士が向かい合い、端面同士が対向することを特徴とする請求項１に記載の差し替え式ウェルカムボード。
【考案の詳細な説明】
【技術分野】
【０００１】
本考案は、案内告示板であるウェルカムボードをパーティ等のイベンドごとに取り替え可能にする差し替え式ウェルカムボードに関する。
【背景技術】
【０００２】
一般に、ウェルカムボードは、例えば催し物の名称・日時・会場やメッセージなどの文字情報を含む案内表示である。そして、ウェルカムボードは、パーティー等の催し物会場の入口付近に設置され、来場者が迷わずに催し物会場に入れるように来場者を導く役割を担っている。また、ウェルカムボードによっては、文字情報だけに限らず催し物に関係する図柄等を用いて見る者の注意を引き易くするものもある。特に、図柄等を用いたウェルカムボードは、きれいな色彩で見る者を引き付ける傾向が高い。つまり、ウェルカムボードにある案内表示よりは、ウェルカムボード全体から発信し、見る者に訴える美しさ、奇抜さというものが重要になることもある。例えば、幾つもの催し物会場が隣接している場所においては、単なる案内表示だけのウェルカムボードが並んでいるのでは、来場者に対するインパクトはなく、来場者は、自分が入る催し物会場を探すべく順番にウェルカムボードの案内表示を読んでいくしかない。
【０００３】
例えば、案内告知板１００としてのウェルカムボードの一例としては、図１２に示す形態のものがある。図１２では、紙片２００を台板３００の上に配列し、台板３００に接着する。紙片２００を任意に組み合わせて接着することにより、台板３の上にハート型、花形、その他各種の形状を表現することができ、また、文字形を形成することができる。文字形は、これを所定の順番に配列することにより、意味ある言葉を表現することができる。図１２では、結婚披露宴への出席を歓迎する言葉と、日付と、新郎新婦の名前が、アルファベットと数字で表現されている。そして、紙片２００は、色彩を任意に組み合わせることにより、注意を引く表現が可能になるというものである（特許文献１）。
【先行技術文献】
【特許文献】
【０００４】
【特許文献１】特開２００３−７６２８４（段落０００９、図１）
【考案の概要】
【考案が解決しようとする課題】
【０００５】
しかしながら、このような案内告知板１００であっても、基本的には、案内告知板１００内の文字等を読む必要がある。従って、案内告知板１００内で注意を引く表現を行ったとしても見るものへのインパクトに限界があった。見るものに訴えるものの一例としては、美術品等が考えられるが、その中の装飾品の一つにステンドグラスがある。ステンドグラスは、これまで主として教会の装飾窓として普及しており、その美術性により、室内のインテリアとしても注目されていた。そのため、本来であれば、ステンドグラスとを組み合わせた、パーティ等の催し物の案内表示を実現できればよいが、ステンドグラスはガラスの着色、鉛を使った係着技術が難しいこと等により、量産が難しく、高価であるため、案内表示として用いることは容易ではなかった。また、ステンドグラスとを組み合わせた、パーティ等の催し物の案内表示を実現できたとしても、同じパーティ等の催し物が再び行われるということは皆無に等しく、一回限りのパーティ等の催し物のために案内表示用のステンドグラスを製作することは効率的ではない。
【０００６】
本考案は、上記の事情に鑑みなされたものであり、ステンドグラス上の案内表示の差し替えを可能にする差し替え式ウェルカムボードを提供することを目的とする。
【課題を解決するための手段】
【０００７】
上記の目的を達成するために、請求項１に記載の考案は、板状の部材からなり、少なくとも表面側には、催し物の案内の記載があり、複数の、周囲を枠部で囲んだガラスピース同士の、前記枠部同士を連結することで前記ガラスピース同士をつなぐことで形成されたステンドグラスより小さい差し替え式ウェルカムボードにおいて、前記ステンドグラスの外周に前記ステンドグラスを囲み、前記ステンドグラスの厚さより厚い額部が取り付けられ、前記ステンドグラスを形成する、前記ガラスピース同士の枠部同士の上である、前記ステンドグラスの面部側に複数の支持部材が固定され、該支持部材は、一方の端部側が前記ステンドグラスの面部側に固定され、前記一方の端部側から前記ステンドグラスの面部に対して垂直方向に伸びる支持部と、他方の端部側から前記支持部に対して垂直方向に伸びる保持部と、を備え、複数の前記支持部材の内、少なくとも一対の対向する前記支持部材同士が前記ステンドグラスの面部側に固定され、前記一対の対向する前記支持部材の支持部同士の間には、前記差し替え式ウェルカムボードの差し替えの移動が行われる隙間が形成されるとともに、前記一対の対向する前記支持部材同士と前記額部との間に前記差し替え式ウェルカムボードの全面が前記ステンドグラスの面部に配置できる領域が形成され、前記差し替え式ウェルカムボードの全面を前記ステンドグラスの面部の、前記領域に配置し、前記差し替え式ウェルカムボードを前記ステンドグラスに沿って移動し、前記一対の対向する前記支持部材同士の支持部同士の間の前記隙間に前記差し替え式ウェルカムボードを入れて移動させ、前記差し替え式ウェルカムボードを前記一対の対向する前記支持部材に沿わせることで、前記差し替え式ウェルカムボードの縁部側が前記支持部材の支持部で支持され、前記差し替え式ウェルカムボードの面部側が前記支持部材の保持部で支持されて、前記差し替え式ウェルカムボードが前記ステンドグラス上に配置され、前記一対の対向する前記支持部材同士の支持部同士の間の前記隙間で前記差し替え式ウェルカムボードを差し替えるために前記差し替え式ウェルカムボードを移動し、前記差し替え式ウェルカムボードを前記ステンドグラスの面部の、前記領域に移動することで前記ステンドグラスから前記差し替え式ウェルカムボードを抜き取ることで取り外し、別の差し替え式ウェルカムボードの全面を前記ステンドグラスの面部の、前記領域に配置し、前記別の差し替え式ウェルカムボードを前記ステンドグラスに沿って移動し、前記一対の対向する前記支持部材同士の支持部同士の間の前記隙間に前記別の差し替え式ウェルカムボードを入れて移動させ、前記別の差し替え式ウェルカムボードを前記一対の対向する前記支持部材に沿わせることで、前記別の差し替え式ウェルカムボードの縁部側が前記支持部材の支持部で支持され、前記別の差し替え式ウェルカムボードの面部側が前記支持部材の保持部で支持されて、前記差し替え式ウェルカムボードが前記ステンドグラス上に配置され、前記ステンドグラス上に前記別の差し替え式ウェルカムボードを配置することで、前記差し替え式ウェルカムボードを前記別の差し替え式ウェルカムボードに差し替えられることを特徴とする。
【０００８】
従って、請求項１に記載の考案によれば、案内告示板である差し替え式ウェルカムボードを、対向する支持部材同士の間の隙間を移動させることでステンドグラス上に配置され、案内表示の役割を終えた後に、差し替え式ウェルカムボードが対向する支持部材同士の間の隙間を移動することでステンドグラスから取り外され、別の差し替え式ウェルカムボードを、対向する支持部材同士の間の隙間を移動させることでステンドグラス上に配置することで、差し替え式ウェルカムボードの差し替えを可能にする。
【０００９】
また、請求項２に記載の考案は、請求項１に記載の構成に加え、前記ガラスピース同士の枠部同士の上である、前記ステンドグラスの面部側に固定された複数の前記支持部材の内、前記ステンドグラス上に配置される、前記差し替え式ウェルカムボードの底部側に対応する前記ステンドグラスの、前記ステンドグラスの水平方向に沿う、前記ガラスピース同士の枠部同士の上には少なくとも二つの前記支持部材が固定され、二つの前記支持部材の保持部は、前記ステンドグラス上に配置される、前記差し替え式ウェルカムボード側に向き、少なくとも前記一対の対向する前記支持部材は、前記ステンドグラスの水平方向に対して垂直方向の、前記ステンドグラス上に配置される、前記差し替え式ウェルカムボードの側部側に対応する前記ステンドグラスの、前記ガラスピース同士の枠部同士の上に固定され、少なくとも前記一対の対向する前記支持部材の保持部は、前記ステンドグラス上に配置される、前記差し替え式ウェルカムボード側に向き、少なくとも前記一対の対向する前記支持部材同士の保持部同士が向かい合い、端面同士が対向することを特徴とする。
【００１０】
従って、請求項２に記載の考案によれば、ステンドグラスの水平方向に複数の支持部材が固定されるとともに、ステンドグラスの水平方向に対して垂直方向に、少なくとも一対の対向する支持部材が固定されることで、支持部材の支持部がステンドグラスに配置された差し替え式ウェルカムボードの、側部方向及び底部側の縁部を支持することになり、支持部材の、支持部に対して垂直に伸びる、保持部が差し替え式ウェルカムボードの面部側である裏面側を支持し、支持部材がない、ステンドグラス上の、ステンドグラス上に配置される、差し替え式ウェルカムボードの上部側から、差し替え式ウェルカムボードを一対の対向する支持部材同士の支持部同士の間の隙間に入れて移動することでステンドグラスに配置することが可能になり、差し替え式ウェルカムボードを、ステンドグラスの水平方向に対して垂直方向、つまり鉛直方向に移動することでステンドグラスに配置することになる。そして、差し替え式ウェルカムボードを、ステンドグラスに配置した際とは逆方向に移動させることで（対向する支持部材同士の間の隙間を移動することで）、ステンドグラスから差し替え式ウェルカムボードを抜き取り、別の差し替え式ウェルカムボードを一対の対向する支持部材同士の支持部同士の間の隙間に入れて移動することでステンドグラスに配置することで、差し替え式ウェルカムボードの差し替えが行われる。
【００１１】
さらに、請求項３に記載の考案は、請求項１に記載の構成に加え、前記ガラスピース同士の枠部同士の上である、前記ステンドグラスの面部側に固定された複数の前記支持部材の内、前記ステンドグラスの水平方向に沿う、前記ステンドグラス上に配置される前記差し替え式ウェルカムボードの、底部側及び上部側に対応する前記ステンドグラスの、前記ガラスピース同士の枠部同士の上には、前記差し替え式ウェルカムボードの、底部側と上部側とで対向して少なくとも二対の前記支持部材が固定され、固定された前記支持部材の保持部は、前記ステンドグラス上に配置される、前記差し替え式ウェルカムボード側に向き、各対向する前記支持部材同士の保持部同士が向かい合い、端面同士が対向することを特徴とする。
【００１２】
従って、請求項３に記載の考案によれば、ステンドグラスの水平方向に少なくとも二対の対向する支持部材が固定されることで、支持部材の支持部がステンドグラスに配置された差し替え式ウェルカムボードの、底部側及び上部側を支持することになり、支持部材の、支持部に対して垂直に伸びる、保持部が差し替え式ウェルカムボードの面部側である裏面側を支持し、支持部材がない、ステンドグラス上の、ステンドグラス上に配置される、差し替え式ウェルカムボードの側部側から、差し替え式ウェルカムボードを（一対の）対向する支持部材同士の支持部同士の間の隙間に入れて移動することでステンドグラスに配置することが可能になり、差し替え式ウェルカムボードを、ステンドグラスの水平方向に沿って移動することでステンドグラスに配置することになる。そして、差し替え式ウェルカムボードを、ステンドグラスに配置した際とは逆方向に移動させることで（対向する支持部材同士の間の隙間を移動することで）、ステンドグラスから差し替え式ウェルカムボードを抜き取り、別の差し替え式ウェルカムボードを一対の対向する支持部材同士の支持部同士の間の隙間に入れて移動することでステンドグラスに配置することで、差し替え式ウェルカムボードの差し替えが行われる。
【考案の効果】
【００１３】
本考案によれば、支持部材は、板状の部材の小片であり、ステンドグラスを構成するガラスピースの回りに取り付けられた枠部に支持部材の一方の端部側を当接させ半田により（溶接して）固定し、対向した支持部材同士の複数の組（少なくとも一対の対向する支持部材同士）をステンドグラスに取り付け、対向した支持部材同士の間の隙間に差し替え式ウェルカムボードを入れて移動することで、ステンドグラスに差し替え式ウェルカムボードを配置することになる。支持部材は、支持部材の、支持部と保持部とで、差し替え式ウェルカムボードを支持することになり差し替え式ウェルカムボードの移動を容易にするとともに安定させている。また、差し替え式ウェルカムボードは支持部材で支持されているだけなので、支持部材に沿って差し替え式ウェルカムボードを移動させるだけで、ステンドグラスから差し替え式ウェルカムボードを抜き取り、別の差し替え式ウェルカムボードを対向した支持部材同士の間の隙間に入れ移動することで別の差し替え式ウェルカムボードをステンドグラスに配置し、容易に差し替え式ウェルカムボードの差し替えが行える。
【図面の簡単な説明】
【００１４】
【図１】本考案である差し替え式ウェルカムボードがステンドグラス上で用いられた状態を示す説明図である。
【図２】図１に示す、差し替え式ウェルカムボードがステンドグラス上で用いられた状態をステンドグラスの裏側（反対側）から示す説明図である。（ａ）は、差し替え式ウェルカムボードがステンドグラス上で支持された状態を示す説明図である。（ｂ）は、ステンドグラス上に配置された支持部材を示す説明図である。（ｃ）は、支持部材の詳細を示す説明図である。
【図３】図２に示すステンドグラスの裏面（反対側）での支持部材の取り付けを示す説明図である。（ａ）は、配置される差し替え式ウェルカムボードの底部側の縁部を支持する、ステンドグラス上の水平方向の直線（点線）上に配置された支持部材の位置を示す説明図である。（ｂ）は、（ａ）に示す、配置された支持部材の状態を示す説明図である。
【図４】ステンドグラスへの差し替え式ウェルカムボードの配置を示す説明図である。（ａ）は、ステンドグラスに差し替え式ウェルカムボードを当接させた状態を示す説明図である。（ｂ）は、ステンドグラスに沿って差し替え式ウェルカムボードを移動し、差し替え式ウェルカムボードの側部側の縁部に対応する側の支持部材を通過した状態を示す説明図である。（ｃ）は、差し替え式ウェルカムボードの底部側の縁部に対応する支持部材に差し替え式ウェルカムボードが当接してステンドグラスに差し替え式ウェルカムボードを配置した状態を示す説明図である。
【図５】例２における、ステンドグラスへの差し替え式ウェルカムボードの配置を示す説明図である。（ａ）は、ステンドグラスに差し替え式ウェルカムボードを当接させた状態を示す説明図である。（ｂ）は、ステンドグラスに沿って差し替え式ウェルカムボードを移動し、差し替え式ウェルカムボードの縁部に対応する側の支持部材を通過した状態を示す説明図である。（ｃ）は、ステンドグラスに差し替え式ウェルカムボードを配置した状態を示す説明図である。
【図６】例３における支持部材を示す説明図である。（ａ）は、支持部材の全体形状を示す説明図である。（ｂ）は、ステンドグラス側に支持部材が取り付けられた状態を示す説明図である。（ｃ）は、配置される差し替え式ウェルカムボードの底部側の縁部を支持する、ステンドグラス上の水平方向の直線（点線）上に配置された支持部材の位置を示す説明図である。
【図７】例３における、ステンドグラスへの差し替え式ウェルカムボードの配置を示す説明図である。（ａ）は、ステンドグラスに差し替え式ウェルカムボードを当接させた状態を示す説明図である。（ｂ）は、ステンドグラスに沿って差し替え式ウェルカムボードを移動し、差し替え式ウェルカムボードの縁部に対応する側の支持部材を通過した状態を示す説明図である。（ｃ）は、ステンドグラスに差し替え式ウェルカムボードを配置した状態を示す説明図である。
【図８】例４における、ステンドグラスへの差し替え式ウェルカムボードの配置を示す説明図である。（ａ）は、ステンドグラスに差し替え式ウェルカムボードを当接させた状態を示す説明図である。（ｂ）は、ステンドグラスに沿って差し替え式ウェルカムボードを移動し、差し替え式ウェルカムボードの縁部に対応する側の支持部材を通過した状態を示す説明図である。（ｃ）は、ステンドグラスに差し替え式ウェルカムボードを配置した状態を示す説明図である。
【図９】ステンドグラスに固定された支持部材が差し替え式ウェルカムボードを支持する状態を示す説明図である。（ａ）は、略Ｌ字状の形状の支持部材が差し替え式ウェルカムボードを支持する状態を示す説明図である。（ｂ）は、略コ字状の形状の支持部材が差し替え式ウェルカムボードを支持する状態を示す説明図である。
【図１０】例５における、ステンドグラスに支持部材が取り付けられた（貼り付けられた）状態を示す説明図である。
【図１１】例５における、ステンドグラスに取り付けられた（貼り付けられた）支持部材に差し替え式ウェルカムボードが貼り付けられた（配置された）状態を示す説明図である。（ａ）は、ガラスピースの枠部同士の部分を横切って支持部材がステンドグラスに貼り付けられた状態を示す説明図である。（ｂ）は、ガラスピースの枠部以外の部分をも横切って支持部材がステンドグラスに貼り付けられた状態を示す説明図である。
【図１２】特許文献１における、案内告知板の実施の形態を示す斜視図である。
【考案を実施するための形態】
【００１５】
以下、本考案を実施するための形態について図面を参照して説明する。
【００１６】
（例１）
本考案である差し替え式ウェルカムボード１は、図１に示すように、ステンドグラス２上において取り替え可能な構成となっている。本例でのステンドグラス２は、全体としては平板状の形状をなし、一般のステンドグラスと同様に、各種の彩色ガラスを所定の大きさおよび形状に切断して、ガラスピース２１を形成して、各ガラスピース２１の回りに鉛製の枠部２２を取り付け、各ガラスピース２１の配置に際して、隣り合うガラスピース２１、２１同士の枠部２２、２２を連結することでガラスピース２１、２１同士を連続させることで（つなぐことで）ステンドグラス２が完成している。本例でのステンドガラス２は、ステンドグラス２より小さい、催し物の案内の記載がある板状の部材である差し替え式ウェルカムボード１を配置するために用いており、図１に示すように、ステンドグラス２は台座３に置かれることで、ステンドグラス２が支えられるとともに、見る人にとって見易い高さを実現している。ただし、ステンドグラス２の大きさによっては、台座３を用いない場合もあり得る。
【００１７】
図１における、ステンドグラス２の略中央に配置されている、ステンドグラス２より小さい差し替え式ウェルカムボード１は、ステンドグラス２上で、他の差し替え式ウェルカムボード１に取り替えることが可能な構成をとっている。本例においては、差し替え式ウェルカムボード１が配置されるステンドグラス２の略中央は、透明のガラスピース２１が配置されて、差し替え式ウェルカムボード１を見易くしている。ただし、差し替え式ウェルカムボード１を見易くできれば、必ずしも透明のガラスピース２１が配置される必要はない。差し替え式ウェルカムボード１では、表面（正面）１１側に催し物の案内の記載が設けられており、差し替え式ウェルカムボード１の表面（正面）１１側がステンドグラス２の略中央の透明のガラスピース２１と重なり合うことで、差し替え式ウェルカムボード１の表面（正面）１１側にある、催し物の案内の記載が見えることになる。図２（ａ）では、図１の裏面側（反対側）の状態が示されており、差し替え式ウェルカムボード１が支持部材４により支持された状態が示されている（図２（ａ）では、本来、表面（正面）１１側に記載された催し物の案内は見えないが、表面（正面）１１側に記載された催し物の案内を逆向きにして示すことでステンドグラス２の裏面側（反対側）であることを示している）。図２（ａ）に示すように、ステンドグラス２上に差し替え式ウェルカムボード１を配置できるように支持部材４を取り付け、支持部材４により差し替え式ウェルカムボード１を支持することでステンドグラス２上への差し替え式ウェルカムボード１の配置が完了することになる。そして、支持部材４で支持された差し替え式ウェルカムボード１を抜き取り、別の差し替え式ウェルカムボード１を配置して支持部材４で別の差し替え式ウェルカムボード１を支持することが可能になる。本例においては、支持部材４は、図２（ｂ）に示すように、配置される差し替え式ウェルカムボード１の底部１３２側に二箇所、配置される差し替え式ウェルカムボード１の側辺側にそれぞれ一箇所の合計四箇所配置されている。本例では、支持部材４を合計四箇所に配置しているが、差し替え式ウェルカムボード１の大きさ等によっては合計四箇所に限定されることなく、合計四箇所より多くなったり少なくなったりすることがある。
【００１８】
本例での支持部材４の具体的な形態は、図２（ｃ）に示すとおりである。支持部材４は、板状の部材が折り曲げられて略Ｌ字状の形状をなす小片であり、支持部４１と保持部４２とが直角をなしている。支持部４１の一方の端部４３側はステンドグラス２（ステンドグラス２の面部２４）側に固定されることになり、支持部４１の他方の端部４４側から支持部４１に対して垂直方向に保持部４２が伸びている。ステンドグラス２側に固定される支持部４１は、差し替え式ウェルカムボード１の縁部１３を受けることになり、ステンドグラス２上でのステンドグラス２に対して平行に移動する差し替え式ウェルカムボード１の移動を止めることになる。また、支持部４１の他方の端部４４から垂直に伸びる保持部４２は、ステンドグラス２上でのステンドグラス２に対して垂直方向に移動する差し替え式ウェルカムボード１の移動を止めることになる。具体的な支持部材４の配置に際しては、支持部材４の支持部４１の一方の端部４３側がガラスピース２１の回りに取り付けられた鉛製の枠部２２に固定されることでステンドグラス２上に固定されている。本例においては、支持部材４は、金属製であるため枠部２２と半田７による連結で固定が行われている。ただし、半田７以外の、例えば、接着剤等で支持部材４と枠部２２とを固定することも可能である。
【００１９】
支持部材４が支持することになる差し替え式ウェルカムボード１は、基本的には矩形形状（長方形、或いは正方形）の板状の部材であるため、差し替え式ウェルカムボード１の縁部１３の底部１３２側を支持する支持部材４は、図２（ｂ）に示すように、複数配置されている。支持部材４を複数配置するに際しては、配置された差し替え式ウェルカムボード１が傾かないように、差し替え式ウェルカムボード１の縁部１３の底部１３２側を水平にするために、水平方向の直線（点線）４０上に配置されている。つまり、図３（ａ）に示すように、ステンドグラス２上の水平方向の直線（点線）４０上にある、ガラスピース２１の回りに取り付けられた枠部２２に配置されることになる。支持部材４をステンドグラス２上の水平方向の直線（点線）４０上の、ガラスピース２１、２１同士の、連結された枠部２２、２２同士に当接させて固定することで（ステンドグラス上２の面部２４側に固定することで）、支持部材４が水平方向に配置されたことになる。そして、図３（ｂ）に示すように、支持部材４を連結された枠部２２、２２同士に当接させて固定することになる。その際、枠部２２、２２同士は半田７により（溶接されて）連結されているため、枠部２２の、支持部材４を当接させる側に半田７が載り易く半田７を載せた状態にして支持部材４の一方の端部４３を当接させて支持部材４を枠部２２、２２同士の半田７の載った部分に（溶接して）固定することになる。
【００２０】
本例での支持部材４は、略Ｌ字状の形状をなしているので、支持部材４の一方の端部４３側を枠部２２、２２側に当接させ半田７により（溶接して）、固定するに際して、支持部材４の一方の端部４３側の固定では、図３（ｂ）に示すように、支持部４１がステンドグラス２（ガラスピース２１）に対して垂直になるように一方の端部４３側を枠部２２、２２側に固定することになる。以上のようにして支持部材４の一方の端部４３側を枠部２２、２２側に固定することで支持部４１に対して支持部材４の他方の端部４４から垂直に伸びる保持部４２がガラスピース２１（ステンドガラス２）と平行の状態となる。このようにして、ステンドグラス２上に取り付けられた支持部材４、４、本例においては二箇所であり、支持部材４、４同士は一直線上に並ぶことになるとともに、支持部材４のステンドグラス２上での安定した取り付けを実現している。なお、本例においては、ステンドグラス２上の水平方向の直線（点線）４０上の二箇所に支持部材４が配置されているが、必ずしも二箇所に限定されることなく、三箇所以上の複数箇所に配置することも可能である。そして、二箇所に配置された二つの支持部材４、４の保持部４２、４２は、ステンドグラス２上に配置される、差し替え式ウェルカムボード１側に向くことになる。
【００２１】
そして、水平方向の直線（点線）４０に対して垂直に交差する（垂直方向の）直線５０上である、配置される差し替え式ウェルカムボード１の縁部１３の側部１３１側に対応する側に支持部材４が配置されている。直線５０上に配置された支持部材４は、直線４０上に配置された支持部材４と同様に、枠部２２、２２側に当接して半田７により（溶接して）固定されている。図２（ｂ）に示すように、それぞれ直線５０上に配置された支持部材４は対向した位置に配置されている。つまり、一対の対向する支持部材４、４がステンドグラスの面部２４側に配置された（固定された）ことになる。そして、一対の対向する支持部材４、４の保持部４２、４２は、ステンドグラス２に配置される、差し替え式ウェルカムボード１側に向き、保持部４２、４２同士が向かい合い、端面４５、４５同士が対向することになる。なお、本例では、図２（ｂ）に示すように、支持部材４は、直線５０上の一箇所に配置されているが（一対の対向する支持部材４、４が配置されているが）、必ずしも一箇所に限定されることなく、複数箇所に配置することも可能である（複数の対向する支持部材４、４を配置することも可能である）。そして、支持部材４が全て配置されることで差し替え式ウェルカムボード１が配置されるステンドグラス２の略中央（ガラスピース２１）内に各支持部材４の保持部４２が向き（配置される差し替え式ウェルカムボード側に各支持部材４の保持部４２が向き）、支持部材４によりステンドグラス２の略中央（ガラスピース２１）を囲むことになる。以上のようにして、各支持部材４がガラスピース２１（ステンドガラス２）に固定されて差し替え式ウェルカムボード１を配置することになる。
【００２２】
差し替え式ウェルカムボード１のステンドグラス（ガラスピース２１）への配置に際しては、図４（ａ）に示すように、支持部材４により囲まれた、ステンドグラス２の略中央の支持部材４がない側（配置される差し替え式ウェルカムボード１の上部１３３側）に差し替え式ウェルカムボード１全面をステンドグラス２（ガラスピース２１）の面部２４に当接させる。本例のステンドグラス２では（ステンドグラス２の面部２４では）、ステンドグラス２の略中央を囲む支持部材４と額部２３との間には差し替え式ウェルカムボード１全面を当接できる領域が確保されている（図４（ａ）参照）。そして、差し替え式ウェルカムボード１をステンドグラス２に沿って移動し、差し替え式ウェルカムボード１を直線５０上の支持部材４、４側へ、矢印Ｘ方向に沿って移動し、差し替え式ウェルカムボード１を対向する直線５０上の支持部材４、４の隙間４６、４６同士の間に入れ（図９（ａ）参照）、つまり、隙間４６、４６を含めた、一対の対向する支持部材４、４の支持部４１、４１同士の隙間４７へ差し替え式ウェルカムボード１を入れて移動させ、差し替え式ウェルカムボード１を一対の対向する支持部材４、４に沿わせることで、差し替え式ウェルカムボード１を直線５０、５０上の支持部材４、４に沿って移動することにより差し替え式ウェルカムボード１を直線４０側へ移動する。差し替え式ウェルカムボード１の移動では、図４（ｂ）に示すように、ガラスピース２１（ステンドガラス２）が差し替え式ウェルカムボード１の面部側である表面１１（正面）側を支持することになり、支持部材４の支持部４１が差し替え式ウェルカムボード１の側部１３１方向側を含めた縁部１３を支持することになる。また、支持部材４の、支持部４１に対して垂直に伸びる、ガラスピース２１（ステンドガラス２）と平行の状態の保持部４２が差し替え式ウェルカムボード１の面部側である裏面１２側を支持することになる。以上のようにして、ガラスピース２１（ステンドグラス２）及び支持部材４により、差し替え式ウェルカムボード１の表面（正面）１１側、裏面１２側及び側部１３１側を支持することで差し替え式ウェルカムボード１の移動を安定させている。
【００２３】
また、本例では支持部材４が小片であるため、差し替え式ウェルカムボード１の移動に際して、差し替え式ウェルカムボード１の移動方向が直線４０側から少しずれる方向へ向いても（差し替え式ウェルカムボード１が直線５０、５０上の支持部材４、４に対して傾いて移動しても）差し替え式ウェルカムボード１の移動は止まることなく進む。そして、差し替え式ウェルカムボード１の移動方向が直線４０側から少しずれる方向へ向いていても（差し替え式ウェルカムボード１が直線５０、５０上の支持部材４、４に対して傾いて移動しても）、差し替え式ウェルカムボード１の移動を規制するのは直線５０、５０上の小片の支持部材４、４だけであり、容易に差し替え式ウェルカムボード１の移動方向を修正することができる。そのため、差し替え式ウェルカムボード１の移動方向が直線４０側から少しずれる方向へ向いた場合（差し替え式ウェルカムボード１が直線５０、５０上の支持部材４、４に対して傾いて移動した場合）、直線５０上の支持部材４、４を支点にして（いずれか一方の支持部材４に差し替え式ウェルカムボード１の側部１３１を当接させることで、差し替え式ウェルカムボード１の当接した部分を中心にして）差し替え式ウェルカムボード１を回動させて直線４０側に向けて差し替え式ウェルカムボード１の移動方向の修正が行われることになる。そして、差し替え式ウェルカムボード１のさらなる矢印Ｘ方向への移動により（差し替え式ウェルカムボード１が直線５０、５０上の支持部材４、４に沿って移動することにより）、図４（ｃ）に示すように、差し替え式ウェルカムボード１の底部１３２が支持部材４、４の支持部４１に当接し、ステンドグラス２への差し替え式ウェルカムボード１の配置が完了する。
【００２４】
そして、この差し替え式ウェルカムボード１の案内表示の役割が完了した後には、この差し替え式ウェルカムボード１を支持部材４、４を経てステンドグラス２から抜き取り、別の差し替え式ウェルカムボード１を配置することになる。差し替え式ウェルカムボード１のステンドグラス２から抜き取りに際しては、図４（ｃ）に示す矢印Ｙ方向に沿って（矢印Ｘ方向とは逆方向の矢印Ｙ方向に沿って）差し替え式ウェルカムボード１を移動させる。差し替え式ウェルカムボード１は直線４０上の支持部材４、４から離れ、差し替え式ウェルカムボード１を直線５０、５０上の支持部材４、４に沿って移動させる（差し替え式ウェルカムボード１を支持部材４、４の隙間４６、４６を含めた隙間４６を通過させる）（図４（ｂ）参照）。そして、差し替え式ウェルカムボード１の底部１３２側が矢印Ｙ方向に沿って直線５０、５０上の支持部材４、４を通過することで差し替え式ウェルカムボード１はステンドグラス２から抜き取られたことになる。つまり、一対の対向する支持部材４、４同士の支持部４１、４１同士の間の（隙間４６、４６を含めた）隙間４７で前記差し替え式ウェルカムボード１を差し替えるために差し替え式ウェルカムボード１を移動し、差し替え式ウェルカムボード１をステンドグラス２の面部２４の、領域に移動することでステンドグラス２から差し替え式ウェルカムボード１を抜き取ることで取り外すことになる（図４（ａ）参照）。以上のようにして差し替え式ウェルカムボード１が抜き取られた後に、別の差し替え式ウェルカムボード１を、差し替え式ウェルカムボード１を配置したのと同様にして図４（ａ）から図４（ｃ）の順により配置することになる。このようにして、差し替え式ウェルカムボード１の差し替えが行われることになる。
【００２５】
具体的には、別の差し替え式ウェルカムボード１の全面をステンドグラス２の面部の、（支持部材４と額部２３との間の差し替え式ウェルカムボード１全面を当接できる）領域に配置し、別の差し替え式ウェルカムボード１をステンドグラス２に沿って移動し、一対の対向する支持部材４、４同士の支持部４１、４１同士の間の隙間４７に別の差し替え式ウェルカムボード１を入れて移動させ、別の差し替え式ウェルカムボード１を一対の対向する支持部材４、４に沿わせることで、別の差し替え式ウェルカムボード１の縁部１３側が支持部材４の支持部４１で支持され、別の差し替え式ウェルカムボード１の面部側である裏面１２側が支持部材４の保持部４２で支持されて、差し替え式ウェルカムボード１がステンドグラス２上に配置され、ステンドグラス２上に別の差し替え式ウェルカムボード１を配置することで、差し替え式ウェルカムボード１を別の差し替え式ウェルカムボード１に差し替えることになる。
【００２６】
（例２）
以上では、差し替え式ウェルカムボード１を上下方向（水平方向を横断する方向）に移動することでステンドグラス２において差し替え式ウェルカムボード１の差し替えを行っているが、必ずしも差し替え式ウェルカムボード１を上下方向に移動させることに限定されない。例えば、差し替え式ウェルカムボード１を水平方向に移動させることでもステンドグラス２において差し替え式ウェルカムボード１の差し替えを行うことができる。以下では、差し替え式ウェルカムボード１を水平方向に移動させてステンドグラス２に配置する例について説明する。基本的な構成は例１と同じであり、異なる構成を中心に説明する。
【００２７】
例２においても、例１と同様に、差し替え式ウェルカムボード１が配置されるステンドグラス２の略中央は、透明のガラスピース２１が配置されて、差し替え式ウェルカムボード１を見易くしている。ただし、差し替え式ウェルカムボード１を見易くできれば、必ずしも透明のガラスピース２１が配置される必要はない。例２においても、例１と同様に、図２（ａ）に示す図１の裏面側（反対側）に、例１で用いた支持部材４をステンドグラス２上に差し替え式ウェルカムボード１を配置できるように取り付けている。そして、例２においては、例１と異なり、支持部材４は、図５（ａ）に示すように、配置される差し替え式ウェルカムボード１の底部１３２側に二箇所、その底部１３２に対向する上部１３３側に二箇所の合計四箇所配置されている。そして、例２においては、配置される差し替え式ウェルカムボード１の底部１３２側に二箇所と、その底部１３２に対向する上部１３３側に二箇所とは対向した位置に配置されており、例１と同様に、少なくとも一対の対向する支持部材同士がステンドグラス２の面部２４側に固定されている。本例では、支持部材４を合計四箇所に配置しているが、差し替え式ウェルカムボード１の大きさ等によっては合計四箇所に限定されることなく、合計四箇所より多くなることがある。また、支持部材４の配置に際しては、例１と同様に、支持部材４の支持部４１の一方の端部４３側がガラスピース２１の回りに取り付けられた鉛製の枠部２２に固定されることでステンドグラス２上に固定されている（ステンドグラス２の面部２４側に固定されている）。例２においても、例１と同様に、支持部材４は、金属製であるため枠部２２と半田７による連結で固定が行われている（図９（ａ）参照）。
【００２８】
支持部材４が支持することになる差し替え式ウェルカムボード１は、例１と同様に、基本的には矩形形状（長方形、或いは正方形）であり、差し替え式ウェルカムボード１の、縁部１３の底部１３２側及び上部１３３部側を支持する支持部材４は、図５（ａ）に示すように、複数配置されている。支持部材４を複数配置するに際しては、差し替え式ウェルカムボード１の縁部１３の底部１３２側及び上部１３３部側が水平となるように、水平方向の直線（点線）４０、４０上に配置されている。つまり、図３（ａ）に示すように、ステンドグラス２上の水平方向の直線（点線）４０、４０上にある、ガラスピース２１の回りに取り付けられた枠部２２に配置されることになる。例１と同様に、図３（ｂ）に示すように、枠部２２、２２同士は半田７により（溶接されて）連結されているため、枠部２２の、支持部材４を当接させる側に半田７が載り易く半田７を載せた状態にして支持部材４の一方の端部４３を当接させて支持部材４を枠部２２、２２同士の半田７の載った部分に（溶接して）固定することで、支持部材４が水平方向に配置されたことになる。
【００２９】
また、例１と同様に、支持部材４の一方の端部４３側の固定では、図３（ｂ）に示すように、支持部４１がステンドグラス２（ガラスピース２１）に対して垂直になるように一方の端部４３側を枠部２２、２２側に固定することになり、支持部材４の他方の端部４４から伸びる保持部４２がガラスピース２１（ステンドガラス２）と平行の状態となる。このようにして、ステンドグラス２上に取り付けられた支持部材４は、例２においては各直線（点線）４０上に二箇所であり、支持部材４、４同士は水平方向に一直線上に並ぶことになるとともに、支持部材４のステンドグラス２上での安定した取り付けを実現している。例２では、それぞれ直線４０上に配置された支持部材４は対向した位置に配置されている。そのため、保持部４２、４２同士が向かい合い、端面４５、４５同士が対向することになる（図３及び図９（ａ）参照）。例２においては、ステンドグラス２上の水平方向の直線（点線）４０、４０上の二箇所に支持部材４が配置されているが、必ずしも二箇所に限定されることなく、三箇所以上の複数箇所に配置することも可能である。つまり、例２においては、少なくとも二対の支持部材４が配置されていればよい。また、必ずしも支持部材４、４同士は対向する必要はなく、支持部材４、４同士が対向せずに各直線４０に沿って配置されるだけでもよい。そして、支持部材４が全て配置されることで差し替え式ウェルカムボード１が配置されるステンドグラス２の略中央（ガラスピース２１）内に各支持部材４の保持部４２が向き、支持部材４によりステンドグラス２の略中央（ガラスピース２１）を囲むことになる。以上のようにして、各支持部材４がガラスピース２１（ステンドガラス２）に固定されて差し替え式ウェルカムボード１を配置することになる。
【００３０】
差し替え式ウェルカムボード１のステンドグラス（ガラスピース２１）への配置に際しては、図５（ａ）に示すように、支持部材４により囲まれた、ステンドグラス２の略中央の支持部材４がない側（配置される差し替え式ウェルカムボード１の側部１３１側）に差し替え式ウェルカムボード１全面をステンドグラス２（ガラスピース２１）の面部２４に当接させる。本例のステンドグラス２では、ステンドグラス２の略中央を囲む支持部材４と額部２３との間には差し替え式ウェルカムボード１全面を当接できる領域が確保されている（図５（ａ）参照）。そして、差し替え式ウェルカムボード１をステンドグラス２に沿って移動し、差し替え式ウェルカムボード１を直線４０上の支持部材４、４側へ、矢印Ｚ方向に沿って移動し、差し替え式ウェルカムボード１を直線４０上の一対の対向する支持部材４、４の隙間４６、４６同士を含めた隙間４７の間に入れ（図９（ａ）参照）、つまり、隙間４６、４６を含めた、一対の対向する支持部材４、４の支持部４１、４１同士の隙間４７へ差し替え式ウェルカムボード１を入れて移動させ、差し替え式ウェルカムボード１を一対の対向する支持部材４、４に沿わせることで、差し替え式ウェルカムボード１を直線４０、４０上の支持部材４、４に沿って移動する。差し替え式ウェルカムボード１の移動では、図５（ｂ）に示すように、ガラスピース２１（ステンドガラス２）が差し替え式ウェルカムボード１の面部側である表面１１（正面）側を支持することになり、支持部材４の支持部４１が差し替え式ウェルカムボード１の縁部１３である、底部１３２側及び上部１３３部側を支持することになる。また、支持部材４の、支持部４１に対して垂直に伸びる、ガラスピース２１（ステンドガラス２）と平行の状態の保持部４２が差し替え式ウェルカムボード１の裏面１２側を支持することになる。以上のようにして、ガラスピース２１（ステンドグラス２）及び支持部材４により、差し替え式ウェルカムボード１の表面（正面）１１側、裏面１２側及び底部１３２側及び上部１３３を支持することで差し替え式ウェルカムボード１の移動を安定させている。
【００３１】
また、本例では支持部材４が小片であるため、差し替え式ウェルカムボード１の移動に際して、差し替え式ウェルカムボード１の移動方向が直線４０、４０上に対して傾いて移動しても差し替え式ウェルカムボード１の移動は止まることなく進む。差し替え式ウェルカムボード１の移動方向が直線４０、４０から少しずれる方向へ向いていても（差し替え式ウェルカムボード１が直線４０、４０上の支持部材４、４に対して傾いて移動しても）、差し替え式ウェルカムボード１の移動を規制するのは直線４０、４０上の小片の支持部材４、４だけであり、容易に差し替え式ウェルカムボード１の移動方向を修正することができる。つまり、差し替え式ウェルカムボード１の移動方向が直線４０、４０から少しずれる方向へ向いた場合（差し替え式ウェルカムボード１が直線４０、４０上の支持部材４、４に対して傾いて移動した場合）、直線４０上の支持部材４、４を支点にして（いずれか一方の支持部材４に差し替え式ウェルカムボード１の縁部１３である、底部１３２或いは上部１３３を当接させることで、差し替え式ウェルカムボード１の当接した部分を中心にして）差し替え式ウェルカムボード１を回動させて直線４０、４０側に沿わせることで差し替え式ウェルカムボード１の移動方向の修正が行われることになる。そして、差し替え式ウェルカムボード１のさらなる矢印Ｚ方向への移動により（差し替え式ウェルカムボード１が直線４０、４０上の支持部材４、４に沿って移動することにより）、図５（ｃ）に示すように、差し替え式ウェルカムボード１の側部１３１が一対の対向する支持部材４、４を超えて差し替え式ウェルカムボード１が、差し替え式ウェルカムボード１が配置される位置であるステンドグラス２の略中央に到達することで、ステンドグラス２への差し替え式ウェルカムボード１の配置が完了する。
【００３２】
そして、この差し替え式ウェルカムボード１の案内表示の役割が完了した後には、この差し替え式ウェルカムボード１をステンドグラス２から抜き取り、別の差し替え式ウェルカムボード１を配置することになる。差し替え式ウェルカムボード１のステンドグラス２から抜き取りに際しては、図５（ｃ）に示す矢印Ｚ１方向に沿って（矢印Ｚ方向とは逆方向の矢印Ｚ１方向に沿って）差し替え式ウェルカムボード１を移動させる。具体的には、差し替え式ウェルカムボード１を直線４０、４０上の支持部材４、４に沿って移動させる（差し替え式ウェルカムボード１を支持部材４、４の隙間４６、４６を含めた隙間４７を通過させる）（図５（ｂ）参照）。そして、差し替え式ウェルカムボード１の側部１３１側が直線４０、４０上の支持部材４、４を通過することで差し替え式ウェルカムボード１はステンドグラス２から抜き取られたことになる。つまり、一対の対向する支持部材４、４同士の支持部４１、４１同士の間の（隙間４６、４６を含めた）隙間４７で前記差し替え式ウェルカムボード１を差し替えるために差し替え式ウェルカムボード１を移動し、差し替え式ウェルカムボード１をステンドグラス２の面部２４の、領域に移動することでステンドグラス２から差し替え式ウェルカムボード１を抜き取ることで取り外すことになる（図５（ａ）参照））。以上のようにして差し替え式ウェルカムボード１が抜き取られた後に、別の差し替え式ウェルカムボード１を、差し替え式ウェルカムボード１を配置したのと同様にして図５（ａ）から図５（ｃ）の順により配置することになる。このようにして、差し替え式ウェルカムボード１の差し替えが行われることになる。
【００３３】
具体的には、別の差し替え式ウェルカムボード１の全面をステンドグラス２の面部の、（支持部材４と額部２３との間の差し替え式ウェルカムボード１全面を当接できる）領域に配置し、別の差し替え式ウェルカムボード１をステンドグラス２に沿って移動し、一対の対向する支持部材４、４同士の支持部４１、４１同士の間の隙間４７に別の差し替え式ウェルカムボード１を入れて移動させ、別の差し替え式ウェルカムボード１を一対の対向する支持部材４、４に沿わせることで、別の差し替え式ウェルカムボード１の縁部１３側が支持部材４の支持部４１で支持され、別の差し替え式ウェルカムボード１の面部側である裏面１２側が支持部材４の保持部４２で支持されて、差し替え式ウェルカムボード１がステンドグラス２上に配置され、ステンドグラス２上に別の差し替え式ウェルカムボード１を配置することで、差し替え式ウェルカムボード１を別の差し替え式ウェルカムボード１に差し替えることになる。
【００３４】
なお、例２においては、差し替え式ウェルカムボード１のステンドグラス２から抜き取りに際しては、差し替え式ウェルカムボード１を矢印Ｚ１方向に沿って移動させることでステンドグラス２から差し替え式ウェルカムボード１を抜き取っているが、矢印Ｚ方向へ差し替え式ウェルカムボード１を移動することでも差し替え式ウェルカムボード１をステンドグラスから抜き取ることは可能である。その場合には、図５には図示していないが、ステンドグラス上に、差し替え式ウェルカムボード１が抜き取られる側の、ステンドグラス２の略中央を囲む支持部材４と額部２３との間には差し替え式ウェルカムボード１全面を当接できる領域が確保されることになる。
【００３５】
（例３）
以上に示す、例１及び例２では、支持部材４の形状が、略Ｌ字状の形状であるが、略Ｌ字状の形状の場合に限定されることなく、例えば、図６（ａ）に示す形状をとることも可能である。図６（ａ）では、支持部材５は、略コ字状の形状をなしている。例３では、例１及び例２の支持部材４とは異なる支持部材５を用いているがステンドグラス２を含めた基本的な構成は、例１及び例２と同様である。支持部材５は、支持部材４と同様に、板状の部材であり、支持部材５は、その板状の部材が折り曲げられて略コ字状の形状をなす小片であり、支持部５１と保持部５２、５２とが直角をなしている。支持部５１の、一方の端部５３及び他方の端部５４側から支持部５１に対して垂直に保持部５２、５２が伸びており、支持部５１の一方の端部５３側はステンドグラス２側に固定されることになる。ステンドグラス２側に固定される保持部５２は、図６（ｂ）に示すように、ガラスピース２１の回りに取り付けられた鉛製の枠部２２に固定されることでステンドグラス２上に固定されている。例１及び例２と同様に、図６（ｂ）に示すように、枠部２２、２２同士は半田７により（溶接されて）連結されているため、枠部２２の、支持部材５の一方の端部５３側の保持部５２を当接させる側に半田７が載り易く半田７を載せた状態にして支持部材５の一方の端部５３の保持部５２を当接させて支持部材５を枠部２２、２２同士の半田７の載った部分に（溶接して）固定することになる。例３においては、例１及び例２と同様に、支持部材５は、金属製であるため枠部２２と半田７による連結で固定が行われている（支持部材５の保持部５２は枠部２２に半田７により固定されている）。
【００３６】
支持部材５の保持部５２、５２の間にある支持部５１は、差し替え式ウェルカムボード１の縁部１３を受けることになり、ステンドグラス２上でのステンドグラス２に対して平行に移動する差し替え式ウェルカムボード１の移動を止めることになる。支持部材５の、一方の端部５３側及び他方の端部５４側の保持部５２は、ステンドグラス２上でのステンドグラス２に対して垂直方向に移動する差し替え式ウェルカムボード１の移動を止めることになる。支持部材５が支持することになる差し替え式ウェルカムボード１は、例１及び例２と同様に、基本的には矩形形状（長方形、或いは正方形）であるため、差し替え式ウェルカムボード１の縁部１３の底部１３２側を支持する支持部材５は、図２（ｂ）に示すように、配置された差し替え式ウェルカムボード１が傾かないように複数配置されている。例１及び例２と同様に、図６（ｃ）に示すように、支持部材５を配置するに際しては、ステンドグラス２上の水平方向の直線（点線）４０上の、ガラスピース２１、２１同士の、連結された枠部２２、２２同士に当接させて支持部材５を半田７により（溶接されて）固定することで、支持部材５を水平方向に配置している。
【００３７】
例３での支持部材５は、略コ字状の形状をなしているので、支持部材５の一方の端部５３側の保持部５２を枠部２２、２２側に当接させ（保持部５２を枠部２２、２２に対向して当接させ）半田７により（溶接して）固定することで（ステンドグラス２の面部側に固定することで）、支持部５１に対して支持部材５の他方の端部５４から垂直方向に伸びる保持部５２がガラスピース２１（ステンドガラス２）と平行の状態となる。ステンドグラス２上に取り付けられた支持部材５は例３においては、例１と同様に、二箇所であり、支持部材５、５同士は一直線上に並ぶことになるとともに、支持部材５のステンドグラス２上での安定した取り付けを実現している。なお、例３においては、ステンドグラス２上の水平方向の直線（点線）４０上の二箇所に支持部材５が配置されているが、必ずしも二箇所に限定されることなく、三箇所以上の複数箇所に配置することも可能である。そして、水平方向の直線（点線）４０に対して垂直に交差する直線５０上である、配置される差し替え式ウェルカムボード１の縁部１３の側部１３１側に対応する側に支持部材５が配置されている。
【００３８】
例１と同じ直線５０上に配置された支持部材５は、直線４０上に配置された支持部材５と同様に、枠部２２、２２側（ステンドグラス２の面部側）に当接して半田７により（溶接して）固定されている。例１と同様に、それぞれ直線５０上に配置された支持部材５は対向した位置に配置されている（図２（ｂ）参照）。つまり、一対の対向する支持部材５、５となっている。そして、例１と同様に、保持部５２、５２同士が向かい合い、端面５５、５５同士が対向することになる。なお、例３では、例１と同様に、支持部材５は、各直線５０上の一箇所に配置されているが（図２（ｂ）参照）、必ずしも一箇所に限定されることなく、複数箇所に配置することも可能である（複数の対向する支持部材５、５とすることも可能である）。そして、支持部材５が全て配置されることで差し替え式ウェルカムボード１が配置されるステンドグラス２の略中央（ガラスピース２１）内に各支持部材５の保持部５２が向き、支持部材５によりステンドグラス２の略中央（ガラスピース２１）を囲むことになる。つまり、各支持部材５の保持部５２は、ステンドグラス２上に配置される、差し替え式ウェルカムボード１側に向くことになる。以上のようにして、各支持部材５がガラスピース２１（ステンドガラス２）に固定されて差し替え式ウェルカムボード１を配置することになる。
【００３９】
例３においての、差し替え式ウェルカムボード１のステンドグラス（ガラスピース２１）への配置に際しては、例１と同様に、図７（ａ）に示すように、支持部材５により囲まれた、ステンドグラス２の略中央の支持部材５がない側（配置される差し替え式ウェルカムボード１の上部１３３側）に差し替え式ウェルカムボード１全面をステンドグラス２（ガラスピース２１）に当接させる。例１と同様に、例３のステンドグラス２では、ステンドグラス２の略中央を囲む支持部材５と額部２３との間には差し替え式ウェルカムボード１全面を当接できる領域が確保されている（図７（ａ）参照）。そして、差し替え式ウェルカムボード１をステンドグラス２に沿って移動し、差し替え式ウェルカムボード１を直線５０上の支持部材５、５側へ、矢印Ｘ方向に沿って移動し、差し替え式ウェルカムボード１を対向する直線５０上の支持部材５、５の隙間５６、５６同士を含めた隙間５７（一対の対向する支持部材５、５同士の支持部５１、５１の間の隙間５７）に入れ（図９（ｂ）参照）、つまり、隙間５６、５６を含めた、一対の対向する支持部材５、５の支持部５１、５１同士の隙間５７へ差し替え式ウェルカムボード１を入れて移動させ、差し替え式ウェルカムボード１を一対の対向する支持部材５、５に沿わせることで、差し替え式ウェルカムボード１を直線５０、５０上の支持部材５、５に沿って移動することにより差し替え式ウェルカムボード１を直線４０側へ移動する。差し替え式ウェルカムボード１の移動では、図７（ｂ）に示すように、支持部材５の一方の端部５３側の保持部５２が差し替え式ウェルカムボード１の面部側である表面１１（正面）側を支持することになり、支持部材５の支持部５１が差し替え式ウェルカムボード１の側部１３１方向側を支持することになる。また、支持部材５の他方の端部５４側の保持部５２（ガラスピース２１（ステンドガラス２）と平行の状態の保持部５２）が差し替え式ウェルカムボード１の裏面１２側を支持することになる。以上のようにして、ガラスピース２１（ステンドグラス２）及び支持部材５により、差し替え式ウェルカムボード１の表面（正面）１１側、裏面１２側及び側部１３１側を支持することで差し替え式ウェルカムボード１の移動を安定させている。
【００４０】
例３においても、例１及び例２の支持部材４と同様に、支持部材５は小片であるため、差し替え式ウェルカムボード１の移動に際して、差し替え式ウェルカムボード１の移動方向が直線４０側から少しずれる方向へ向いても（差し替え式ウェルカムボード１が直線５０、５０上の支持部材５、５に対して傾いて移動しても）差し替え式ウェルカムボード１の移動は止まることなく進む。つまり、例１及び例２と同様に、差し替え式ウェルカムボード１の移動方向が直線４０側から少しずれる方向へ向いた場合（差し替え式ウェルカムボード１が直線５０、５０上の支持部材５、５に対して傾いて移動した場合）、直線５０上の支持部材５、５を支点にして（いずれか一方の支持部材５に差し替え式ウェルカムボード１の側部１３１を当接させることで、差し替え式ウェルカムボード１の当接した部分を中心にして）差し替え式ウェルカムボード１を回動させて直線４０側に向けて差し替え式ウェルカムボード１の移動方向の修正が行われることになる。そして、差し替え式ウェルカムボード１のさらなる矢印Ｘ方向への移動により（差し替え式ウェルカムボード１が直線５０、５０上の支持部材５、５に沿って移動することにより）、図７（ｃ）に示すように、差し替え式ウェルカムボード１の底部１３２が支持部材５、５の支持部５１に当接し、ステンドグラス２への差し替え式ウェルカムボード１の配置が完了する。
【００４１】
そして、例１及び例２と同様に、この差し替え式ウェルカムボード１の案内表示の役割が完了した後には、この差し替え式ウェルカムボード１をステンドグラス２から抜き取り、別の差し替え式ウェルカムボード１を配置することになる。差し替え式ウェルカムボード１のステンドグラス２から抜き取りに際しては、図７（ｃ）に示す矢印Ｙ方向に沿って（矢印Ｘ方向とは逆方向の矢印Ｙ方向に沿って）差し替え式ウェルカムボード１を移動させる。差し替え式ウェルカムボード１は直線４０上の支持部材５、５から離れ、差し替え式ウェルカムボード１を直線５０、５０上の支持部材５、５に沿って移動させる（差し替え式ウェルカムボード１を支持部材５、５の隙間５６、５６を通過させる）（図７（ｂ）参照）。そして、差し替え式ウェルカムボード１の底部１３２側が矢印Ｙ方向に沿って直線５０、５０上の支持部材５、５を通過することで差し替え式ウェルカムボード１はステンドグラス２から抜き取られたことになる。つまり、一対の対向する支持部材５、５同士の支持部５１、５１同士の間の（隙間５６、５６を含めた）隙間５７で前記差し替え式ウェルカムボード１を差し替えるために差し替え式ウェルカムボード１を移動し、差し替え式ウェルカムボード１をステンドグラス２の面部２４の、領域に移動することでステンドグラス２から差し替え式ウェルカムボード１を抜き取ることで取り外すことになる（図７（ａ）参照）。以上のようにして差し替え式ウェルカムボード１が抜き取られた後に、別の差し替え式ウェルカムボード１を、差し替え式ウェルカムボード１を配置したのと同様にして図７（ａ）から図７（ｃ）の順により配置することになる。このようにして、差し替え式ウェルカムボード１の差し替えが行われることになる。
【００４２】
具体的には、別の差し替え式ウェルカムボード１の全面をステンドグラス２の面部の、（支持部材５と額部２３との間の差し替え式ウェルカムボード１全面を当接できる）領域に配置し、別の差し替え式ウェルカムボード１をステンドグラス２に沿って移動し、一対の対向する支持部材５、５同士の支持部５１、５１同士の間の隙間５７に別の差し替え式ウェルカムボード１を入れて移動させ、別の差し替え式ウェルカムボード１を一対の対向する支持部材５、５に沿わせることで、別の差し替え式ウェルカムボード１の縁部１３側が支持部材５の支持部５１で支持され、別の差し替え式ウェルカムボード１の面部側である裏面１２側が支持部材５の保持部４２で支持されて、差し替え式ウェルカムボード１がステンドグラス２上に配置され、ステンドグラス２上に別の差し替え式ウェルカムボード１を配置することで、差し替え式ウェルカムボード１を別の差し替え式ウェルカムボード１に差し替えることになる。
【００４３】
（例４）
例３では、差し替え式ウェルカムボード１を上下方向（水平方向を横断する方向）に移動することでステンドグラス２において差し替え式ウェルカムボード１の差し替えを行っているが、例えば、差し替え式ウェルカムボード１を水平方向に移動させることでもステンドグラス２において差し替え式ウェルカムボード１の差し替えを行うことができる。以下では、差し替え式ウェルカムボード１を水平方向に移動させてステンドグラス２に配置する例について説明する。基本的な構成は例１乃至例３と同じであり、異なる構成を中心に説明する。
【００４４】
例１乃至例３と同様に、差し替え式ウェルカムボード１が配置されるステンドグラス２の略中央は、透明のガラスピース２１が配置されているが、必ずしも透明のガラスピース２１が配置される必要はない。例４においても、例１乃至例３と同様に、図２（ａ）に示す図１の裏面側（反対側）に、例３に示す支持部材５を取り付け（ステンドグラス２の面部側に固定し）、ステンドグラス２上に差し替え式ウェルカムボード１を配置できるようにしている。例４では、例２と同様に、支持部材５は、図８（ａ）に示すように、配置される差し替え式ウェルカムボード１の底部１３２側に二箇所、その底部１３２に対向する上部１３３側に二箇所の合計四箇所配置されている。例４では、支持部材５を合計四箇所に配置しているが、差し替え式ウェルカムボード１の大きさ等によっては合計四箇所に限定されることなく、合計四箇所より多くなったり少なくなったりすることがある。また、支持部材５の配置に際しては、例３と同様に、支持部材５の支持部５１の一方の端部５３側の保持部５２がガラスピース２１の回りに取り付けられた鉛製の枠部２２に固定されることでステンドグラス２上に固定されている（ステンドグラス２の面部側に固定されている）。例４においても、例１乃至例３と同様に、支持部材５は、金属製であるため枠部２２と半田７による連結で固定が行われている（図９（ｂ）参照）。
【００４５】
支持部材５が支持することになる差し替え式ウェルカムボード１は、例１乃至例３と同様に、基本的には矩形形状（長方形、或いは正方形）であり、差し替え式ウェルカムボード１の、縁部１３の底部１３２側及び上部１３３部側を支持する複数の支持部材５は、図８（ａ）に示すように、差し替え式ウェルカムボード１の縁部１３の底部１３２側及び上部１３３部側が水平となるように、水平方向の直線（点線）４０、４０上に配置されている。つまり、図６（ｃ）に示すように、ステンドグラス２上の水平方向の直線（点線）４０、４０上にある、ガラスピース２１の回りに取り付けられた枠部２２に配置されることになる。例１乃至例３と同様に、図６（ｂ）に示すように、枠部２２、２２同士は半田７により（溶接されて）連結されている。つまり、例３と同様に、枠部２２の、支持部材５の一方の端部５３側の保持部５２を当接させる側に半田７を載せた状態にして支持部材５の一方の端部５３の保持部５２を当接させて支持部材５を枠部２２、２２同士の半田７の載った部分に（溶接して）固定することになる。そして、例４では、支持部材５が水平方向に一直線上に配置されたことになり（並ぶことになり）、支持部材５のステンドグラス２上での安定した取り付けを実現している。例４では、例２と同様に、それぞれ直線４０上に配置された支持部材５は対向した位置に配置されている。そのため、保持部５２、５２同士が向かい合い、端面５５、５５同士が対向することになる（図８及び図９（ｂ）参照）。例４においては、ステンドグラス２上の水平方向の直線（点線）４０、４０上の二箇所に支持部材５が配置されているが、必ずしも二箇所に限定されることなく、三箇所以上の複数箇所に配置することも可能である。つまり、例４においては、少なくとも二対の支持部材５が配置されていればよい。また、必ずしも支持部材５、５同士は対向する必要はなく、支持部材５、５同士が対向せずに各直線４０に沿って配置されるだけでもよい。そして、支持部材５が全て配置されることで差し替え式ウェルカムボード１が配置されるステンドグラス２の略中央（ガラスピース２１）内に各支持部材５の保持部５２が向き、支持部材５によりステンドグラス２の略中央（ガラスピース２１）を囲むことになる。以上のようにして、各支持部材５がガラスピース２１（ステンドガラス２）に固定されて差し替え式ウェルカムボード１を配置することになる。
【００４６】
差し替え式ウェルカムボード１のステンドグラス（ガラスピース２１）への配置に際しては、図８（ａ）に示すように、支持部材５により囲まれた、ステンドグラス２の略中央の支持部材５がない側（配置される差し替え式ウェルカムボード１の側部１３１側）に差し替え式ウェルカムボード１全面をステンドグラス２（ガラスピース２１）に当接させる。例４では、ステンドグラス２の略中央を囲む支持部材５と額部２３との間には差し替え式ウェルカムボード１全面を当接できる領域が確保されている（図８（ａ）参照）。そして、差し替え式ウェルカムボード１をステンドグラス２に沿って移動し、差し替え式ウェルカムボード１を直線４０上の支持部材５、５側へ、矢印Ｚ方向に沿って移動し、差し替え式ウェルカムボード１を直線４０上の一対の対向する支持部材５、５の隙間５６、５６同士を含めた隙間５７の間に入れ（図９（ｂ）参照）、つまり、隙間５６、５６を含めた、一対の対向する支持部材５、５の支持部５１、５１同士の隙間５７へ差し替え式ウェルカムボード１を入れて移動させ、差し替え式ウェルカムボード１を一対の対向する支持部材５、５に沿わせることで、差し替え式ウェルカムボード１を直線４０、４０上の支持部材５、５に沿って移動する。差し替え式ウェルカムボード１の移動では、図８（ｂ）に示すように、支持部材５の一方の端部５３側の保持部５２が差し替え式ウェルカムボード１の面部側である表面１１（正面）側を支持することになり、支持部材５の支持部５１が差し替え式ウェルカムボード１の側部１３１方向側を支持することになる。また、支持部材５の他方の端部５４側の保持部５２（ガラスピース２１（ステンドガラス２）と平行の状態の保持部５２）が差し替え式ウェルカムボード１の裏面１２側を支持することになる。以上のようにして、ガラスピース２１（ステンドグラス２）及び支持部材５により、差し替え式ウェルカムボード１の表面（正面）１１側、裏面１２側及び側部１３１側を支持することで差し替え式ウェルカムボード１の移動を安定させている。
【００４７】
また、例４では、例３と同様に、支持部材５が小片であるため、差し替え式ウェルカムボード１の移動に際して、差し替え式ウェルカムボード１の移動方向が直線４０、４０上に対して傾いて移動しても差し替え式ウェルカムボード１の移動は止まることなく進む。差し替え式ウェルカムボード１の移動方向が直線４０、４０から少しずれる方向へ向いていても（差し替え式ウェルカムボード１が直線４０、４０上の支持部材５、５に対して傾いて移動しても）、差し替え式ウェルカムボード１の移動を規制するのは直線４０、４０上の小片の支持部材５、５だけであり、容易に差し替え式ウェルカムボード１の移動方向を修正することができる。つまり、差し替え式ウェルカムボード１の移動方向が直線４０、４０から少しずれる方向へ向いた場合（差し替え式ウェルカムボード１が直線４０、４０上の支持部材５、５に対して傾いて移動した場合）、直線４０上の支持部材５、５を支点にして（いずれか一方の支持部材５に差し替え式ウェルカムボード１の縁部１３である、底部１３２或いは上部１３３を当接させることで、差し替え式ウェルカムボード１の当接した部分を中心にして）差し替え式ウェルカムボード１を回動させて直線４０、４０側に沿わせることで差し替え式ウェルカムボード１の移動方向の修正が行われることになる。そして、差し替え式ウェルカムボード１のさらなる矢印Ｚ方向への移動により（差し替え式ウェルカムボード１が直線４０、４０上の支持部材５、５に沿って移動することにより）、図８（ｃ）に示すように、差し替え式ウェルカムボード１の側部１３１が支持部材５、５を超えて差し替え式ウェルカムボード１が、差し替え式ウェルカムボード１が配置されるステンドグラス２の略中央に到達することで、ステンドグラス２への差し替え式ウェルカムボード１の配置が完了する。
【００４８】
そして、この差し替え式ウェルカムボード１の案内表示の役割が完了した後には、この差し替え式ウェルカムボード１をステンドグラス２から抜き取り、別の差し替え式ウェルカムボード１を配置することになる。差し替え式ウェルカムボード１のステンドグラス２から抜き取りに際しては、図８（ｃ）に示す矢印Ｚ１方向に沿って（矢印Ｚ方向とは逆方向の矢印Ｚ１方向に沿って）差し替え式ウェルカムボード１を移動させる。具体的には、差し替え式ウェルカムボード１を直線４０、４０上の支持部材５、５に沿って移動させる（差し替え式ウェルカムボード１を支持部材５、５の隙間５６、５６を通過させる）（図８（ｂ）参照）。そして、差し替え式ウェルカムボード１の側部１３１側が直線４０、４０上の支持部材５、５を通過することで差し替え式ウェルカムボード１はステンドグラス２から抜き取られたことになる。つまり、一対の対向する支持部材５、５同士の支持部５１、５１同士の間の（隙間５６、５６を含めた）隙間５７で前記差し替え式ウェルカムボード１を差し替えるために差し替え式ウェルカムボード１を移動し、差し替え式ウェルカムボード１をステンドグラス２の面部２４の、領域に移動することでステンドグラス２から差し替え式ウェルカムボード１を抜き取ることで取り外すことになる（図８（ａ）参照）。以上のようにして差し替え式ウェルカムボード１が抜き取られた後に、別の差し替え式ウェルカムボード１を、差し替え式ウェルカムボード１を配置したのと同様にして図８（ａ）から図８（ｃ）の順により配置することになる。このようにして、差し替え式ウェルカムボード１の差し替えが行われることになる。
【００４９】
具体的には、別の差し替え式ウェルカムボード１の全面をステンドグラス２の面部の、（支持部材５と額部２３との間の差し替え式ウェルカムボード１全面を当接できる）領域に配置し、別の差し替え式ウェルカムボード１をステンドグラス２に沿って移動し、一対の対向する支持部材５、５同士の支持部５１、５１同士の間の隙間５７に別の差し替え式ウェルカムボード１を入れて移動させ、別の差し替え式ウェルカムボード１を一対の対向する支持部材５、５に沿わせることで、別の差し替え式ウェルカムボード１の縁部１３側が支持部材５の支持部５１で支持され、別の差し替え式ウェルカムボード１の面部側である裏面１２側が支持部材５の保持部４２で支持されて、差し替え式ウェルカムボード１がステンドグラス２上に配置され、ステンドグラス２上に別の差し替え式ウェルカムボード１を配置することで、差し替え式ウェルカムボード１を別の差し替え式ウェルカムボード１に差し替えることになる。
【００５０】
なお、例４においては、例２と同様に、差し替え式ウェルカムボード１のステンドグラス２から抜き取りに際しては、差し替え式ウェルカムボード１を矢印Ｚ１方向に沿って移動させることでステンドグラス２から差し替え式ウェルカムボード１を抜き取っているが、矢印Ｚ方向へ差し替え式ウェルカムボード１を移動することでも差し替え式ウェルカムボード１をステンドグラスから抜き取ることは可能である。その場合には、図８には図示していないが、ステンドグラス上に、差し替え式ウェルカムボード１が抜き取られる側の、ステンドグラス２の略中央を囲む支持部材５と額部２３との間には差し替え式ウェルカムボード１全面を当接できる領域が確保されることになる。
【００５１】
なお、例１乃至例４においては、図２に示すように、ステンドグラス２の面部２４である裏面側に支持部材４、５を配置する構成であるが、ステンドグラス２の裏面側に限定されることなく、ステンドグラス２の裏面側とは反対側の図１に示す表面（正面）側に支持部材４、５を配置することが可能である。図１に示すステンドグラス２の面部２４である表面（正面）側に支持部材４、５を配置する場合には、差し替え式ウェルカムボード１が配置されるステンドグラス２の略中央は、透明のガラスピース２１が配置される必要はない。例１乃至例４に示す差し替え式ウェルカムボード１では、表面（正面）１１側に催し物の案内の記載があり、表面（正面）１１側と反対側の、差し替え式ウェルカムボード１の裏面１２がステンドグラス２の表面（正面）側に載ることになり、ステンドグラス２に特に差し替え式ウェルカムボード１を見易くする透明のガラスピース２１等を配置する必要はなくなる。このようにして、直接差し替え式ウェルカムボード１の表面（正面）１１を見せることになり、差し替え式ウェルカムボード１は見易くなる。そして、差し替え式ウェルカムボード１のステンドグラス２への配置、差し替えについては、例１乃至例４と同様に行われる。
【００５２】
また、例１乃至例４おいては、差し替え式ウェルカムボード１をステンドグラス２の略中央（中央）に配置する例が示されているが、必ずしも差し替え式ウェルカムボード１が配置されるのがステンドグラス２の略中央（中央）である必要はなく、いずれの箇所にでも配置することが可能である。さらに、例１乃至例４では、ステンドグラス２の外周にステンドグラス２を囲み、ステンドグラス２の厚みより厚い額部２３が取り付けられている。図４（ａ）、図５（ａ）、図７（ａ）及び図８（ａ）に示すように、ステンドグラス２の厚さｔに対して額部２３の厚さｔ１となってステンドグラス２の厚さｔより厚くなっている。そのため、支持部材４、５と額部２３との間が狭いと差し替え式ウェルカムボードをステンドグラス２に配置できなくなる。それ故、例１乃至例４では、図４（ａ）、図５（ａ）、図７（ａ）及び図８（ａ）に示すように、支持部材４、５と額部２３との間には差し替え式ウェルカムボード１全面を当接できる領域が確保されている。
【００５３】
例１乃至例４では、差し替え式ウェルカムボード１を配置するステンドグラス２及び支持部材４、５が差し替え式ウェルカムボード１の支持具となっている。つまり、差し替え式ウェルカムボード１の支持具の基本的な構成としては、複数の、周囲を枠部２２で囲んだガラスピース２１同士の、枠部２２同士を連結することでガラスピース２１同士をつなぐことで形成されたステンドグラス２には、ステンドグラス２の外周にステンドグラス２を囲み、ステンドグラス２の厚みより厚い額部２３が取り付けられ、ステンドグラス２を形成する、ガラスピース２１同士の枠部２２同士の上である、ステンドグラス２の面部２４側に複数の支持部材４、５が固定されている。そして、支持部材４、５は、一方の端部４３、５３側がステンドグラス２の面部２４側に固定され、一方の端部４３、５３側からステンドグラス２の面部２４に対して垂直方向に伸びる支持部４１、５１と、他方の端部４４、５４側から支持部４１、５１に対して垂直方向に伸びる保持部４２、５２と、を備えている。複数の支持部材４、５の内、少なくとも一対の対向する支持部材４、５同士がステンドグラス２の面部２４に固定され、一対の対向する支持部材４、５の支持部４１、５１の間には、催し物の案内の記載がある差し替え式ウェルカムボードの差し替えの移動が行われる隙間４７、５７が形成されるとともに、一対の対向する支持部材４、５同士と額部２３との間に差し替え式ウェルカムボード１の全面がステンドグラス２の面部２４に配置できる領域が形成されている。そして、差し替え式ウェルカムボード１の全面をステンドグラス２の面部２４の、領域に配置し、差し替え式ウェルカムボード１をステンドグラス２に沿って移動し、一対の対向する支持部材４、５同士の支持部４１、５１の間の隙間４７、５７に差し替え式ウェルカムボード１を入れて移動させ、差し替え式ウェルカムボード１を一対の対向する支持部材４、５に沿わせることで、差し替え式ウェルカムボード１の縁部１３側が支持部材４、５の支持部４１、５１で支持され、差し替え式ウェルカムボード１の面部側が支持部材４、５の保持部４２、５２で支持されて、差し替え式ウェルカムボード１がステンドグラス２上に配置されることになる。
【００５４】
例１及び例３では、差し替え式ウェルカムボード１の支持具の基本的な構成に以下の構成を加えることになる。つまり、ガラスピース２１同士の枠部２２同士の上に固定された複数の支持部材４、５の内、ステンドグラス２上に配置される、差し替え式ウェルカムボード１の底部１３２側に対応するステンドグラス２の、ステンドグラス２の水平方向に沿う、ガラスピース２１同士の枠部２２同士の上には少なくとも二つの支持部材４、５が固定され、二つの支持部材４、５の保持部４２、５２は、記ステンドグラス２上に配置される、差し替え式ウェルカムボード１側に向き、少なくとも一対の対向する支持部材４、５は、ステンドグラス２の水平方向に対して垂直方向の、ステンドグラス２上に配置される、差し替え式ウェルカムボード１の側部１３１側に対応するステンドグラス２の、ガラスピース２１同士の枠部２２同士の上に固定され、少なくとも一対の対向する支持部材４、５の保持部４２、５２は、ステンドグラス２上に配置される、差し替え式ウェルカムボード１側に向き、少なくとも一対の対向する支持部材４、５同士の保持部４２、５２同士が向かい合い、端面４５、５５同士が対向している。
【００５５】
また、例２及び例４では、差し替え式ウェルカムボード１の支持具の基本的な構成に以下の構成を加えることになる。つまり、ガラスピース２１同士の枠部２２同士の上に固定された複数の支持部材４、５の内、ステンドグラス２の水平方向に沿う、ステンドグラス２上に配置される差し替え式ウェルカムボード１の、底部１３２側及び上部１３３側に対応するステンドグラス２の、ガラスピース２１同士の枠部２２同士の上には、差し替え式ウェルカムボード１の、底部１３２側と上部１３３側とで対向して少なくとも二対の支持部材４、５が固定され、固定された支持部材４、５の保持部４２、５２は、ステンドグラス２上に配置される、差し替え式ウェルカムボード１側に向き、各対向する支持部材４、５同士の保持部４２、５２同士が向かい合い、端面４５、５５同士が対向している。
【００５６】
（例５）
以上では、板状の部材からなる小片の支持部材４、５をガラスピース２１の回りを囲む枠部２２に溶接することで、ステンドグラス２に支持部材４、５を取り付け、支持部材４、５に対して差し替え式ウェルカムボード１を配置する、というものであるが、このような構成に限定されるものではなく、例えば、両面を接着可能にしたテープを支持部材６として用いることもできる。支持部材６であれば、接着可能な一方の面６１を図１に示す表面（正面）側のステンドグラス２に貼り付け、接着可能な他方の面６２に差し替え式ウェルカムボード１を貼り付けることになり、接着可能な他方の面６２に貼り付けた差し替え式ウェルカムボード１を剥がして別の差し替え式ウェルカムボード１を貼り付けることで容易に差し替え式ウェルカムボード１を取り替えることが可能になる。支持部材６の場合には、ステンドグラス２への取り付けの際に（接着可能な一方の面６１をステンドグラス２に貼り付ける際に）、溶接等の必要はなく、単に支持部材６であるテープの接着可能な一方の面６１をステンドグラス２に貼り付けるだけであるため容易に取り付け（貼り付け）行うことができる。また、溶接等の加工を必要としないため、ガラスピース２１の枠部２２のある箇所に限らず、ステンドグラス２内のいずれの箇所にも取り付けられる。なお、図１に示す表面（正面）側に差し替え式ウェルカムボード１が貼り付けることになるため、差し替え式ウェルカムボード１を見易くでき、差し替え式ウェルカムボード１が配置されるステンドグラス２の略中央は、透明のガラスピース２１が配置される必要はない。
【００５７】
具体的には、図１０に示すように、支持部材６は貼り付けられることになる。支持部材６は、帯状のテープであり、帯状のテープの一方の面６１及び他方の面６２が接着可能となっている。図１０では、一例としてステンドグラス２の水平方向に沿って二本の帯状のテープである支持部材６、６がステンドグラス３に貼り付けられている。例５である図１０においては、ステンドグラス２の水平方向に沿って支持部材６が貼り付けられているが、支持部材６を貼り付ける方向は特に限定されず、任意の方向に貼り付けることが可能である。そして、図１１（ａ）では、ガラスピース２１の枠部２２、枠部２２同士を横切って支持部材６である両面が接着可能であるテープの一方の面６１がガラスピース２１（ステンドガラス２）が貼り付け（取り付け）られている。そして、他方の面６２には差し替え式ウェルカムボード１が貼り付け（取り付け）られている。図１１（ａ）では、支持部材６である帯状のテープが二箇所、差し替え式ウェルカムボード１の、上部１３３側及び底部１３２側と対向する位置に当たる部分のガラスピース２１（ステンドガラス２）に貼り付け（取り付け）られている。以上のようにして、差し替え式ウェルカムボード１はガラスピース２１（ステンドガラス２）に配置されることになり、実質的には、支持部材４、５を用いて差し替え式ウェルカムボード１を配置した状態と同じになる（図１参照）。また、支持部材６は、両面を接着可能とするテープとしており、接着可能な他方の面６２では、既に貼り付けた（配置した）差し替え式ウェルカムボード１を剥がし、別の差し替え式ウェルカムボード１を貼り付ける（配置する）ことも可能になっている。つまり、支持部材６では、支持部材４、５の場合と同様に、差し替え式ウェルカムボード１を別の差し替え式ウェルカムボード１に差し替えることが可能になる。
【００５８】
また、支持部材６は、両面を接着可能とするテープであるため、容易にガラスピース２１（ステンドガラス２）に貼り付ける（取り付ける）ことができ、図１１（ａ）では、ガラスピース２１（ステンドガラス２）の二箇所に支持部材６を貼り付ける形態が示されているが、必ずしも二箇所に限定されるものではなく、三箇所、四箇所と貼り付けることができ、差し替え式ウェルカムボード１をガラスピース２１（ステンドガラス２）に安定して配置することができる。さらに、図１１（ｂ）に示すように、支持部材６の場合には、支持部材６の配置に溶接等の加工が必要ではなく、単に両面が接着可能であるテープの一方の面６１をガラスピース２１（ステンドガラス２）に貼り付ける（取り付ける）だけであるため、支持部材４、５とは異なり、支持部材６を貼り付ける（取り付ける）位置は、ガラスピース２１の枠部２２、枠部２２同士を横切る必要はない。つまり、支持部材６である両面が接着可能であるテープの一方の面６１の貼り付け（取り付け）に際しては、ガラスピース２１（ステンドガラス２）のいずれの部分をも横切ることができることになる。従って、差し替え式ウェルカムボード１をステンドグラス２（ガラスピース２１）内のいずれの部分にも配置することができる。その結果、ステンドグラス２より小さい差し替え式ウェルカムボード１をステンドグラス２（ガラスピース２１）の略中央（中央）に配置されることに限定させず、ステンドグラス２（ガラスピース２１）内のいずれの部分にも配置することができる。
【００５９】
なお、例１乃至例５に示す案内告知板である差し替え式ウェルカムボード１では、表面（正面）１１側に催し物の案内の記載があり、例１乃至例５では、差し替え式ウェルカムボード１の、少なくとも表面（正面）１１側に催し物の案内の記載があればよいことになる。また、例１乃至例５に示す差し替え式ウェルカムボード１の表面（正面）１１側と反対側の、差し替え式ウェルカムボード１の裏面１２側には催し物の案内の記載はないが、裏面１２側にも別の催し物の案内の記載を設けることも可能である。その場合には、例１乃至例５において、差し替える別の差し替え式ウェルカムボード１を差し替える前の差し替え式ウェルカムボード１の裏面１２として用いることができる。つまり、差し替える前の差し替え式ウェルカムボード１一つで表面１１、裏面１２を反転させることで、二つの差し替え式ウェルカムボード１の役割を果たせられることになる。
【符号の説明】
【００６０】
１…差し替え式ウェルカムボード、１１…表面（正面）、１２…裏面、１３…縁部、１３１…側部、１３２…底部、１３３…上部
２…ステンドグラス、２１…ガラスピース、２２…枠部、２３…額部、２４…面部
３…台座
４…支持部材、４１…支持部、４２…保持部、４３…一方の端部、４４…他方の端部、４５…端面、４６…隙間、４４、４６…他方の端部、４７…隙間、４０…直線
５…支持部材、５１…支持部、５２…保持部、５３…一方の端部、５４…他方の端部、５５…端面、５６…隙間、５７…隙間、５０…直線
６…支持部材、６１…一方の面、６２…他方の面、
７…半田
【図１】
0003181990.tif 000003
【図２】
0003181990.tif 000004
【図３】
0003181990.tif 000005
【図４】
0003181990.tif 000006
【図５】
0003181990.tif 000007
【図６】
0003181990.tif 000008
【図７】
0003181990.tif 000009
【図８】
0003181990.tif 000010
【図９】
0003181990.tif 000011
【図１０】
0003181990.tif 000012
【図１１】
0003181990.tif 000013
【図１２】
0003181990.tif 000014